(57)【要約】【課題】  比較的多くの外反母趾者に適合しうる履物の中敷きを提供することである。【解決手段】  中敷本体２と、母趾球部に対応する前記中敷本体２の母趾球領域に設けられた複数の孔部と、を有し、前記複数の孔部が、基準孔部４１と、前記基準孔部４１とは独立した孔部であって、前記基準孔部４１の径外方向に配置され且つ前記基準孔部４１よりも開口面積の小さいものを少なくとも１つ含む複数の衛星孔部４２と、を有し、前記基準孔部４１の径外方向において、孔開口率が小さくなる部分を有するように、前記複数の衛星孔部４２が形成されている。【選択図】  図１
2019093001.tif 000002
【特許請求の範囲】
【請求項１】
中敷本体と、母趾球部に対応する前記中敷本体の母趾球領域に設けられた複数の孔部と、を有し、
前記複数の孔部が、基準孔部と、前記基準孔部とは独立した孔部であって、前記基準孔部の径外方向に配置され且つ前記基準孔部よりも開口面積の小さいものを少なくとも１つ含む複数の衛星孔部と、を有し、
前記基準孔部の径外方向において、孔開口率が小さくなる部分を有するように、前記複数の衛星孔部が形成されている、履物の中敷き。
【請求項２】
前記基準孔部から径外方向に向かって孔開口率が順次小さくなるように、前記複数の衛星孔部が形成されている、請求項１に記載の履物の中敷き。
【請求項３】
中敷本体と、母趾球部に対応する前記中敷本体の母趾球領域に設けられた複数の孔部と、を有し、
前記複数の孔部が、基準孔部と、前記基準孔部とは独立した孔部であって、前記基準孔部の径外方向に配置され且つ前記基準孔部よりも開口面積の小さい複数の衛星孔部と、を有し、
前記衛星孔部が、基準孔部に最も近くに配置された衛星孔部の開口面積≧次に近くに配置された衛星孔部の開口面積、の関係を満たすように形成されている、履物の中敷き。
【請求項４】
前記基準孔部及び衛星孔部が、中敷本体の表裏面に貫通する貫通孔からなる、請求項１乃至３のいずれか一項に記載の履物の中敷き。
【請求項５】
前記複数の衛星孔部が、基準孔部の重心を中心とする同心円状に配置されている、請求項１乃至４のいずれか一項に記載の履物の中敷き。
【請求項６】
前記基準孔部が、前記中敷本体の最前端縁から最後端縁までの足長を１００％とした場合、前記中敷本体の最後端縁から６６．１％〜７３．９％の範囲内に形成されている、請求項１乃至５のいずれか一項に記載の履物の中敷き。
【請求項７】
前記基準孔部が、前記中敷本体の最内側縁から最外側縁までの足幅を１００％とした場合、前記中敷本体の最内側縁から１４％〜２０％の範囲内に形成されている、請求項１乃至６のいずれか一項に記載の履物の中敷き。
【請求項８】
前記中敷本体の母趾球領域の裏面に、凹部が形成されており、
前記凹部の窪み開始部分である縁部が、断面視傾斜状に形成されている、請求項１乃至７のいずれか一項に記載の履物の中敷き。
【請求項９】
前記凹部の最深部を含む中央部が、平坦状に形成されている、請求項１乃至８のいずれか一項に記載の履物の中敷き。
【請求項１０】
踵部に対応する前記中敷本体の踵領域の裏面に、凹部が形成されている、請求項１乃至９のいずれかに記載の履物の中敷き。
【請求項１１】
前記踵領域に形成された凹部が、弧状縁及び弧状縁とは反対側の尖縁を有する平面視略滴状に形成されており、
前記平面視略滴状の軸線が前記中敷本体の足長方向に対して外側に傾斜するように、前記凹部が形成されている、請求項１０に記載の履物の中敷き。
【請求項１２】
前記凹部に対応する踵領域に、孔部が形成されている、請求項１１に記載の履物の中敷き。
【発明の詳細な説明】
【技術分野】
【０００１】
本発明は、履物の中敷きに関し、特に、外反母趾の症状又はその兆候がある人の足に適合し易い履物の中敷きに関する。
【背景技術】
【０００２】
履物には、中敷きが用いられている。履物としては、代表的には、スポーツシューズ、ビジネスシューズ、ハイヒール、ブーツなどの靴類；草履、サンダル、スリッパなどのスリッパ類；などが挙げられる。
中敷きの使用目的は、代表的には、履物の履き心地や運動性の向上であるが、外反母趾の治療などで使用されることもある。
特許文献１には、姿勢やＯ脚などの障害の矯正や足の内側の筋肉を引き締めることなどを目的として、母趾球部に対応する領域と母趾の腹部に対応する領域を、母趾球部と母趾腹部がそれぞれ入り込めるように窪ます又は貫通穴を形成した中敷きが開示されている。
また、特許文献２には、蹴り出す段階においてより体重移動をコントロールすることによってあおり歩行を促すことを目的として、クッション性の中敷本体と硬質プレートとを有し、中敷本体の上面を不踏部から踵部にかけて周縁部を足裏に沿って高く肉厚に形成して内側アーチサポートと外側アーチサポートと踵サポートとを設けると共に踵部上面に球面状の窪みを形成し、硬質プレートにおいてはその踵中央部に切欠き部が形成されると共に踵外周壁に沿って踵補強壁を、内側アーチ側と外側アーチ側とに対向して内側補強壁、外側補強壁を形成すると共にその前縁を第１ボールジョイント部と踵部中心とを結ぶ軸線に対して第１中足骨の底部からほぼ直交し第５中足骨に至る幅とした中敷きが開示されている。
【先行技術文献】
【特許文献】
【０００３】
【特許文献１】特開２００６−１９８３９９号公報
【特許文献２】実開昭５３−１１１８７１号公報
【発明の概要】
【０００４】
ここで、外反母趾について簡単に説明する。外反母趾は、ＭＰ関節部において母趾（足の第１趾）が外転内旋（外側に屈曲しかつ内側に回旋していること）し、第２趾に接する又は重なるように変形している状態をいう。このような状態は、個々人によって程度の差がある。また、医療機関などで外反母趾と診断されている人もいれば、外反母趾の兆候があると診断されている人もあり、さらに、医療機関などで診察を受けていないが外反母趾の症状がある人やその兆候がある人なども見受けられる（以下、本明細書において、これらの人を総称して「外反母趾者」という）。
【０００５】
外反母趾の機序は、過剰な足部回内やアーチの低下をきっかけにして母趾に負担がかかり、足部変形が次第に大きくなる。外反母趾は、足部疾患の中で最も多い疾患であり、外反母趾者は、母趾の付け根（母趾球部の側部）が内側に突出しているため、そこが靴に当たって炎症や痛みを生じるなどの悩みを有している。外反母趾者は、母趾やＭＰ関節部の可動域が制限され、正常な足の動きのパターンから逸脱するケースが多く見受けられる。
外反母趾の治療法として、代表的には、保存療法と手術療法が挙げられる。保存療法の１つとして、適切な中敷きの使用がある。通常、医療機関において、アーチサポートや踵骨の回内抑制、母趾球位置の制御などを目的として、個々の外反母趾者の足に合わせてカスタマイズされた中敷が処方される。一方で、軽度の外反母趾者にあっては、汎用的な市販の中敷を購入して使用している場合もある。しかしながら、外反母趾者の足部の変形状態は様々であるため、自身の足部変形状態に比較的適合した中敷きを探すことが困難であるという問題点がある。
特許文献１及び特許文献２の中敷きは、外反母趾者に適したものを提供することを意図していない上、上述のように外反母趾者の足部変形状態は様々であるため、広く外反母趾者の足に適合するものではない。
また、外反母趾の保存療法として、外反母趾の症状又は兆候の原因となっている足部の変形の進行をできるだけ防止できる中敷きが求められる。
【発明が解決しようとする課題】
【０００６】
本発明の１つの目的は、比較的多くの外反母趾者に適合しうる履物の中敷きを提供することである。
本発明のもう１つの目的は、外反母趾に関連した足部変形の進行を防止できる履物の中敷きを提供することである。
【課題を解決するための手段】
【０００７】
本発明の第１の履物の中敷きは、中敷本体と、母趾球部に対応する前記中敷本体の母趾球領域に設けられた複数の孔部と、を有し、前記複数の孔部が、基準孔部と、前記基準孔部とは独立した孔部であって、前記基準孔部の径外方向に配置され且つ前記基準孔部よりも開口面積の小さいものを少なくとも１つ含む複数の衛星孔部と、を有し、前記基準孔部の径外方向において、孔開口率が小さくなる部分を有するように、前記複数の衛星孔部が形成されている。好ましくは、前記基準孔部から径外方向に向かって孔開口率が順次小さくなるように、前記複数の衛星孔部が形成されている。
【０００８】
本発明の第２の履物の中敷きは、中敷本体と、母趾球部に対応する前記中敷本体の母趾球領域に設けられた複数の孔部と、を有し、前記複数の孔部が、基準孔部と、前記基準孔部とは独立した孔部であって、前記基準孔部の径外方向に配置され且つ前記基準孔部よりも開口面積の小さい複数の衛星孔部と、を有し、前記衛星孔部が、基準孔部に最も近くに配置された衛星孔部の開口面積≧次に近くに配置された衛星孔部の開口面積、の関係を満たすように形成されている。
【０００９】
本発明の好ましい履物の中敷きは、前記基準孔部及び衛星孔部が、中敷本体の表裏面に貫通する貫通孔からなる。
本発明の好ましい履物の中敷きは、前記複数の衛星孔部が、基準孔部の重心を中心とする同心円状に配置されている。
本発明の好ましい履物の中敷きは、前記基準孔部が、前記中敷本体の最前端縁から最後端縁までの足長を１００％とした場合、前記中敷本体の最後端縁から６６．１％〜７３．９％の範囲内に形成されている。
本発明の好ましい履物の中敷きは、前記基準孔部が、前記中敷本体の最内側縁から最外側縁までの足幅を１００％とした場合、前記中敷本体の最内側縁から１４％〜２０％の範囲内に形成されている。
本発明の好ましい履物の中敷きは、前記中敷本体の母趾球領域の裏面に、凹部が形成されており、前記凹部の窪み開始部分である縁部が、断面視傾斜状に形成されている。
本発明の好ましい履物の中敷きは、前記凹部の最深部を含む中央部が、平坦状に形成されている。
本発明の好ましい履物の中敷きは、踵部に対応する前記中敷本体の踵領域の裏面に、凹部が形成されている。
本発明の好ましい履物の中敷きは、前記踵領域に形成された凹部が、弧状縁及び弧状縁とは反対側の尖縁を有する平面視略滴状に形成されており、前記平面視略滴状の軸線が前記中敷本体の足長方向に対して外側に傾斜するように、前記凹部が形成されている。
本発明の好ましい履物の中敷きは、前記凹部に対応する踵領域に、孔部が形成されている。
【発明の効果】
【００１０】
本発明の第１及び第２の履物の中敷きは、汎用的な製品でありながら、比較的多くの外反母趾者に適合する。
また、本発明の好ましい中敷きは、外反母趾者の足部変形の進行を防止する効果も期待できる。
【図面の簡単な説明】
【００１１】
【図１】本発明の中敷きの表面図（中敷きを表面側から見た平面図）。
【図２】中敷本体の各領域及び表層と裏層を判り易く表した説明用の表面図。
【図３】中敷きの裏面図（中敷きを裏面側から見た平面図）。
【図４】中敷きの右側面図（内側から見た側面図）。
【図５】中敷きの左側面図（外側から見た側面図）。
【図６】図１のＶＩ−ＶＩ線で切断した断面図。
【図７】図３のＶＩＩ−ＶＩＩ線で切断した断面図。
【図８】図３のＶＩＩＩ−ＶＩＩＩ線で切断した断面図。
【図９】中敷本体の母趾球領域を拡大した裏面図（図３の要部拡大図）。
【図１０】図９のＸ−Ｘ線で切断した断面図。
【図１１】図９のＸＩ−ＸＩ線で切断した断面図。
【図１２】中敷本体の踵領域を拡大した裏面図（図３の要部拡大図）。
【図１３】中敷本体の踵領域を裏面後側から見た斜視図。
【図１４】図１２のＸＩＶ−ＸＩＶ線で切断した断面図。
【図１５】図１２のＸＶ−ＸＶ線で切断した断面図。
【図１６】基準孔部及び衛星孔部の形成範囲を説明するための参考表面図。
【図１７】孔開口率の特定方法を説明するための参考裏面図。
【図１８】孔開口率の特定方法を説明するための参考裏面図。
【図１９】母趾球領域に形成された凹部の第１変形例を示す拡大断面図。
【図２０】母趾球領域に形成された凹部の第２変形例を示す拡大断面図。
【図２１】母趾球領域に形成された凹部の第３変形例を示す拡大断面図。
【図２２】母趾球領域に形成された基準孔部及び衛星孔部の第１変形例を示す拡大裏面図。
【図２３】母趾球領域に形成された基準孔部及び衛星孔部の第２変形例を示す拡大裏面図。
【図２４】母趾球領域に形成された基準孔部及び衛星孔部の第３変形例を示す拡大裏面図。
【図２５】母趾球領域に形成された基準孔部及び衛星孔部の第４変形例を示す拡大裏面図。
【図２６】母趾球領域に形成された基準孔部及び衛星孔部の第５変形例を示す拡大裏面図。
【図２７】母趾球領域に形成された基準孔部及び衛星孔部の第６変形例を示す拡大裏面図。
【図２８】母趾球領域に形成された基準孔部及び衛星孔部の第７変形例を示す拡大裏面図。
【図２９】母趾球領域に形成された基準孔部及び衛星孔部の第８変形例を示す拡大裏面図。
【図３０】実質的な孔部の説明図。
【発明を実施するための形態】
【００１２】
以下、本発明について図面を参照しつつ説明する。
本明細書において、中敷きの「表面」は、使用者の足が接する側の面を指し、「裏面」は、その反対側（履物に接する側）の面を指す。また、「足長」は、中敷本体の最前端縁から最後端縁までの長さ（中敷きの長さ）をいい、「足長方向」は、その長さ方向をいい、「足幅方向」は、その長さ方向に直交する方向をいい、「足幅」は、中敷本体の最内側縁から最外側縁までの足幅方向における長さをいう（図１参照）。なお、前記中敷きの「足長」は、足裏を基準としても規定でき、足部骨格における第２趾先端から踵骨後端までの長さとも言える。例えば甲先の長い履物（ロングノーズシューズなど）の中底形状に適合する中敷きは、前記履物の甲先に合わせるために、その前方に大きく延ばされた部分（この部分は、使用者の足裏が載らず、実質的に中敷きとして機能しない部分である）があるので、そのような場合には、前記「足長」は、足裏を基準として解釈されるものとする。
また、「外側」又は「外」は、足幅方向の第５趾側をいい、「内側」又は「内」は、中敷きの足幅方向の第１趾側をいい、「平面視」は、中敷きの表面又は裏面から面に対して垂直な視線で見ることをいい、「断面視」は、断面に対して垂直な視線で見ることをいう。
また、本明細書において「略」は、本発明の属する技術分野において許容される範囲を意味する。
本明細書において、「下限値Ｘ〜上限値Ｙ」で表される数値範囲は、下限値Ｘ以上上限値Ｙ以下を意味する。前記数値範囲が別個に複数記載されている場合、任意の下限値と任意の上限値を選択し、「任意の下限値〜任意の上限値」を設定できるものとする。
【００１３】
図１乃至図１１において、本発明の中敷き１は、中敷本体２を有する。
前記中敷本体２の、足裏の母趾球部に対応する母趾球領域には、複数の孔部４１，４２が形成されている。さらに、前記中敷本体２の母趾球領域の裏面には、凹部５が形成されている。また、前記中敷本体２の、足裏の踵部に対応する踵領域の裏面には、平面視略滴状の凹部６が形成されている。
以下、具体的に説明する。
【００１４】
［中敷本体］
図１乃至図３を参照して、中敷本体２は、従来と同様に、履物の標準的な中底形状を想定した平面視形状に形成されている。中敷本体２は、履物のサイズや種類に合わせて様々な大きさに形成される。中敷本体２の足長及び足幅は、履物のサイズと同様である。
中敷本体２の内側縁には、足裏の土踏まず部に対応するアーチサポート部３１が立ち上げられている。また、中敷本体２の前端縁を含む五趾領域の縁には、足の五趾を覆うための前サポート部３２が延設されている。さらに、中敷本体２の後端縁を含む踵領域の縁には、足の踵部側方に対応するヒールサポート部３３が立ち上げられている。
ここで、本明細書においては、中敷本体２をいくつかの領域に区分けしている。説明用の図２を参照して、中敷本体２の五趾領域は、中敷本体２のうち、使用者の足裏の五趾に対応する領域をいい、中敷本体２の母趾球領域は、足裏の母趾球部に対応する領域をいい、中敷本体２の反母趾球領域は、前記母趾球領域とは足幅方向反対側の領域をいい、中敷本体２の踵領域は、足裏の踵部に対応する領域をいい、中敷本体２の中領域は、前記母趾球領域及び反母趾球領域と踵領域との間の領域をいう。図２の二点鎖線は、前記各領域を視覚的に区別するための各領域の概念上の境界線を示しているが、現実的には、前記各領域の境界は、ある程度の幅があることに留意されたい。
【００１５】
前記アーチサポート部３１、前サポート部３２及びヒールサポート部３３は、それぞれ中敷本体２に連続して一体的に形成されている。なお、前サポート部３２と中敷本体２の五趾領域は連続した略平坦状に形成されている。前サポート部３２は、中敷きの使用に際して適宜切り取られる部分である。中敷本体２は、上述のように標準的な中底形状に合わせた形状に形成されているが、様々な中底形状の履物に柔軟に対応できるようにするため、予備的に前サポート部３２が形成されている。かかる前サポート部３２は、使用者や中敷きの販売者又は製造者によって適時に適切な形状に切り取られる部分であり、中敷きを履物にフィットさせるための予備的な部分である。従って、前サポート部３２は、必要に応じて設けられる。
前サポート部３２と中敷本体２の明確な境界線は存在しないが、図１乃至図３に両者の境界線を小破線で示している。
【００１６】
前記各サポート部及び中敷本体２は、１つの材料で形成されていてもよく、２種以上の材料が積層されている２層以上の積層構造であってもよい。
履き心地及び中敷本体２の母趾球領域の変形量が大きくなり易いことから、各サポート部及び中敷本体２は、軟質の表層と、前記表層よりも剛性の大きい硬質の裏層と、を有する少なくとも２層以上の積層体から形成されていることが好ましい。
前記表層及び裏層の剛性の程度は、例えば、硬度で表すことができる。前記表層の硬度（アスカーＣ硬度）は、例えば、２０〜４０であり、好ましくは２２〜３０であり、前記裏層の硬度（アスカーＣ硬度）は、例えば、５０〜８０であり、好ましくは５５〜７０である。
前記表層及び裏層のアスカーＣ硬度は、２３℃において、ＪＩＳ  Ｋ  ７３１２のタイプＣにおけるスプリング硬さ試験において測定した瞬時値を意味する。
【００１７】
図６乃至図８などに示すように、図示例では、中敷本体２は、表層２ａと裏層２ｂの２層構造であるが、両層の間に任意の適切な１つ以上の中間層が介在されていてもよい（図示せず）。また、各サポート部及び中敷本体２から選ばれる少なくとも１つの最表面に、スキン層が設けられていてもよい（図示せず）。このようなスキン層としては、薄い布地（例えば、厚み０．５ｍｍ以下の織物地など）、厚み１００μｍ以下の合成樹脂フィルムまたは合成樹脂塗工膜などが挙げられる。
前記各サポート部及び中敷本体２を積層構造（図示例では表層２ａ及び裏層２ｂ）で構成する場合、それらの全体に亘って２層以上の積層構造を有していてもよく、２層以上の積層構造部分と単層構造部分とを有していてもよい。図示例では、表層２ａ及び裏層２ｂを有する積層部分と、裏層２ｂの単層構造部分と、から構成されている。
例えば、前サポート部３２及び中敷本体２が、表層２ａ及び裏層２ｂを有する２層以上の積層構造部分とされ、アーチサポート部３１及びヒールサポート部３３が裏層２ｂのみからなる単層構造部分とされている。なお、図２において、表層が存在する範囲に無数のドットを付加している。
【００１８】
前記表層２ａ及び裏層２ｂの形成材料は、特に限定されない。例えば、表層２ａは、ポリウレタン、ポリエチレン、エチレン−酢酸ビニル共重合体などの軟質の合成樹脂又は軟質のエラストマーから形成され、裏層２ｂは、前記表層２ａよりも硬質の合成樹脂又は軟質のエラストマーから形成される。なお、前記エラストマーには、一般にゴムと呼ばれる高分子も含まれる。表層２ａ及び裏層２ｂは、それぞれ独立して、発泡体から形成されていてもよく、或いは、非発泡体から形成されていてもよい。履き心地及び中敷本体２の母趾球領域の変形量が大きくなり易いことから、少なくとも表層２ａは発泡体から形成されていることが好ましく、表層２ａ及び裏層２ｂがいずれも発泡体から形成されていることが好ましい。前記表層２ａ及び裏層２ｂを発泡体で形成する場合、表層２ａとして、裏層２ｂよりも発泡倍率が大きい発泡体を用いることが好ましい。
【００１９】
中敷本体２の厚みは、特に限定されず、適宜設定される。例えば、中敷本体２の厚みは、１．５ｍｍ〜１０ｍｍの範囲であり、好ましくは、２ｍｍ〜８ｍｍの範囲である。通常、中敷本体２の厚みは、一定ではないので（例えば、五趾領域の厚みは踵領域の厚みよりも小さい）、各領域の厚みが前記範囲に含まれていることが好ましい。
表層２ａの厚みと裏層２ｂの厚みは、適宜設定できる。足裏の当たりや圧力分散の効果を特に重要視する場合には、表層２ａの厚みが裏層２ｂの厚みよりも大きいことが好ましい。安定性を特に重要視する場合は、表層２ａの厚みが裏層２ｂの厚みよりも大きいことが好ましい。
例えば、母趾球領域では、表層２ａの厚みは、母趾球部が沈み込みやすくなるように、裏層２ｂの厚みよりも大きいことが好ましく、踵領域の中央部では、表層２ａの厚みが、安定性向上のために、裏層２ｂの厚みよりも大きいことが好ましい。この場合の厚み差について、特に限定されないが、表層２ａの厚みが裏層２ｂの厚みの１．５倍〜２．５倍が効果的である。
また、踵領域の縁部では、表層２ａの厚みが、安定性向上のために、裏層２ｂの厚みよりも小さいことが好ましい。この場合の厚み差について、特に限定されないが、裏層２ｂの厚みが表層２ａの厚みの１．５倍〜２．５倍が効果的である。
【００２０】
図１に示すように、前サポート部３２は、平面視略馬蹄状に形成されている。
ヒールサポート部３３は、踵領域の内側から後側を経由して外側にかけて形成されており、平面視略馬蹄状を成している
図７、図１４及び図１５を主に参照して、ヒールサポート部３３は、立体的には、先端側が鋭角状に形成され、中敷本体２の表面に向かうに従って次第に厚肉に形成されている。ヒールサポート部３３は、中敷本体２の表面に対して略直交するように突出され、断面視略鋭角三角形状に形成されている。
このようなヒールサポート部３３が形成されていることによって、外反母趾者の足部の過回内を抑制して外反母趾に関連した足部の変形の進行を防止できる。特に、ヒールサポート部３３が、上述のように、硬質の裏層２ｂのみから形成されているので、外反母趾者の踵部における過回内を抑制する効果に優れている。もっとも、ヒールサポート部３３を２層以上の積層体で形成してもよい。
【００２１】
ヒールサポート部３３の表面から中敷本体２の踵領域の表面に至る範囲は、連続した曲面状（裏面側へと膨らむ曲面状）に形成され、ヒールサポート部３３の裏面から中敷本体２の踵領域の裏面に至る範囲も連続した曲面状（前記表面側と同じ側へと膨らむ曲面状）に形成されている。
図３、図５、図１２乃至図１５を主に参照して、前記ヒールサポート部３３の裏面から中敷本体２の踵領域の裏面に至る範囲（以下、踵裏面コーナー範囲という）には、溝部３３１（以下、踵溝部という）が形成されている。踵溝部３３１は、ヒールサポート部３３の裏面から踵領域の裏面に跨がって連続して形成されている。踵溝部３３１は、全体的に直線状に延設されていてもよいが、好ましくは、図示のように、踵領域の裏面において直線状に延びる部分とヒールサポート部３３の裏面において直線状に延びる部分とを有し、両部分が鈍角に交わった屈曲状に形成されていることが好ましい。踵溝部３３１の幅は特に限定されないが、１ｍｍ〜３ｍｍであることが効果的である。
【００２２】
また、踵溝部３３１は、１つ又は複数（２つ以上）形成される。
踵溝部３３１は、前記踵裏面コーナー範囲内の何れの位置に配置されていてもよいが、好ましくは、少なくとも１つの踵溝部３３１が踵裏面コーナー範囲の外側に形成され、より好ましくは、少なくとも１つの踵溝部３３１が踵裏面コーナー範囲の外側に形成され、且つ、少なくとも１つの踵溝部３３１が踵裏面コーナー範囲の後側に形成される。
図示例では、２つの踵溝部３３１が踵裏面コーナー範囲の外側に形成され、且つ、２つの踵溝部３３１が踵裏面コーナー範囲の後側に形成されている。踵溝部３３１が複数形成される場合、各踵溝部３３１は所定間隔を開けて配置される。
踵裏面コーナー範囲に踵溝部３３１が形成されていることにより、足裏の踵部によって荷重が加わった際に、ヒールサポート部３３から中敷本体２の踵領域が変形し易くなり、外反母趾者の過回内を抑制して外反母趾に関連した足部の変形の進行を防止できる。
【００２３】
図４乃至図６を主に参照して、アーチサポート部３１は、中敷本体２の表面に対して鈍角を成し、内側に向けて突出されている。アーチサポート部３１は、一定の肉厚でもよいが、略中央部が厚肉とされていることが好ましい。詳しくは、図１、図３乃至図６を主に参照して、アーチサポート部３１は、部分的に厚肉状に盛り上がった盛り上がり部３１１を有する。前記盛り上がり部３１１は、アーチサポート部３１のうち、足長方向及び足幅方向の中央部に形成されている。前記盛り上がり部３１１は、アーチサポート部３１の周縁から足長方向中央部及び足幅方向中央部に向かうに従って次第に厚肉とされた丘陵の如き部分である。前記盛り上がり部３１１は、アーチサポート部３１の表面側又は裏面側に設けられる、或いは、図示例のように、アーチサポート部３１の表面側及び裏面側に設けられる。盛り上がり部３１１は、アーチサポート部３１の少なくとも表面側に設けられていることが好ましい。
【００２４】
アーチサポート部３１が盛り上がり部３１１を有することにより、外反母趾者の母趾球部の圧力を分散させ、母趾球部の負担を軽減できる。母趾球部の負担軽減により、外反母趾に関連した足部の変形の進行を防止でき、特に、アーチサポート部３１と後述する踵領域に形成された凹部６及び／又は孔部７１，７２との相乗作用により、足部の過回内を抑制して足部変形の進行を防止できる。また、アーチサポート部３１が、上述のように、硬質の裏層２ｂのみから形成されているので、圧力分散の作用に優れている。もっとも、アーチサポート部３１を２層以上の積層体で形成してもよい。
前記盛り上がり部３１１の最大厚み（盛り上がり部３１１が表面側及び裏面側にそれぞれ設けられる場合には、それぞれの盛り上がり部３１１の最大厚み）は、特に限定されないが、例えば、アーチサポート部３１の周縁における厚みの１．５倍〜３倍であり、好ましくは、アーチサポート部３１の周縁における厚みの２倍〜３倍である。
【００２５】
また、中敷本体２の中領域の表面は、略平坦状に形成されている。前記中敷本体２の中領域は、アーチサポート部３１につながる領域（アーチサポート部３１につながり且つアーチサポート部３１を基準にしてその外側の領域）をいう。中敷本体２の表面は、前記五趾領域、母趾球領域及び中領域にかけて略平坦状に形成されている。上記アーチサポート部３１の足幅方向内側に存在する中領域の表面が略平坦状に形成されていることにより、外反母趾者の足部の過回内を抑制して外反母趾に関連した足部の変形の進行を防止できる。
【００２６】
図３及び図７を主に参照して、中敷本体２の中領域の裏面には、部分的に盛り上がった膨出部２１が形成されている。この膨出部２１は、中領域の前側且つ足幅方向中途部に設けられている。膨出部２１は、その中央部に向かうに従って次第に厚肉とされた丘陵の如き部分である。膨出部２１の平面視形状は、略円形状でもよいが、好ましくは、図示のように、弧状縁２１ａ及び弧状縁２１ａとは反対側の尖縁２１ｂを有する略滴状である。平面視略滴状の膨出部２１は、例えば、足長方向の前側に弧状縁２１ａを向け且つ足長方向の後側に尖縁２１ｂを向けて配置されている。膨出部２１は、略滴状の軸線（略滴状の軸線は、弧状縁２１ａの先端と尖縁２１ｂの先端を結んだ仮想の直線）が中敷本体２の足長方向に対して略平行となるように配置されていてもよく、或いは、略滴状の軸線が中敷本体２の足長方向に対して傾斜するように配置されていてもよい。図示例では、略滴状の軸線が足長方向に対して若干傾斜するように、膨出部２１が配置されている。
【００２７】
膨出部２１が形成されていることによって、第２趾及び第３趾に圧力が集中することを抑制でき、外反母趾者の母趾球部の圧力を分散させ、母趾球部の負担を軽減できる。母趾球部の負担軽減により、外反母趾に関連した足部の変形の進行を防止でき、特に、膨出部２１と後述する踵領域に形成された凹部６及び／又は孔部７１，７２との相乗作用により、足部の過回内を抑制して足部変形の進行を防止できる。さらに、膨出部２１とアーチサポート部３１の協働により、圧力分散の作用を高めることができる。
前記膨出部２１の最大厚みは、特に限定されないが、例えば、０．３ｍｍ〜２ｍｍであり、好ましくは、０．５ｍｍ〜１．５ｍｍである。
【００２８】
また、図３及び図８を主に参照して、中敷本体２の裏面には、平面視略直線状に延びる長状溝部２２が形成されている。
長状溝部２２は、中敷本体２の反母趾球領域の裏面に設けられている。詳しくは、長状溝部２２は、中敷本体２の反母趾球領域と中領域の境界付近における外側縁から母趾球領域又はその領域の近傍にまで直線状に延設されている。なお、長状溝部２２は、前記膨出部２１を横断せず、膨出部２１の弧状縁２１ａの近傍であってその縁２１ａの上側を横切って形成されている。また、長状溝部２２は、後述する母趾球領域の凹部５の縁部にまで至らずに、その凹部５の縁部の近傍にまで形成されている。
長状溝部２２は、足幅方向と略平行に延設されていてもよいが、好ましくは、足幅方向に対して傾斜するように延設されている。足幅方向に対する長状溝部２２の傾斜角度は、特に限定されないが、例えば、５度〜３０度であり、好ましくは１０度〜２５度である。
また、長状溝部２２の外側端部２２ａは、足長方向において、長状溝部２２の内側端部２２ｂよりも５ｍｍ〜１５ｍｍ後方に位置することが好ましい。
また、長状溝部２２の幅は、一定でもよいが、好ましくは、母趾球領域側に向かうに従って次第に小さくなる（狭くなる）ように形成されている。また、長状溝部２２の深さは、一定でもよいが、好ましくは、母趾球領域側に向かうに従って次第に小さくなる（浅くなる）ように形成されている。
長状溝部２２の具体的な寸法は、例えば、その最大幅が１．５ｍｍ〜５ｍｍであり、最小幅が１ｍｍ〜３ｍｍであり、最大深さが１ｍｍ〜２ｍｍであり、最小深さが０．５ｍｍ〜１．５ｍｍである。
このような長状溝部２２が形成されていることによって、足のＭＰ関節部の可動域の自由度が高まり、正常な足の動きのパターンからの逸脱を防止することができる。
【００２９】
図１及び図６を主に参照して、中敷本体２の反母趾球領域の表面には、複数の穴部２３が形成されている。前記穴部２３は、中敷本体２の表裏面に貫通しない穴であり、中敷本体２の厚み方向中途部にまで形成された断面視凹状の穴部２３である。
中敷本体２が表層２ａと裏層２ｂを有する場合、例えば、穴部２３は、表層２ａのみに形成されている。この場合、穴部２３の深さは、表層２ａの厚みに等しい。
複数の穴部２３は、不規則に配置されていてもよいが、好ましくは、図示のように、複数の穴部２３は、１つの穴部２３の重心（穴部２３の平面視形状における重心）を中心とし、その重心の同心円状に所定間隔をあけて配置されている。
複数の穴部２３は、同じ大きさでもよく、大きさの異なるものを含んでいてもよい。
図示例では、開口面積が最大である第１穴部２３１と、前記第１穴部２３１よりも開口面積が小さい第２穴部２３２であって前記第１穴部２３１の同心円上に配置された複数の第２穴部２３２と、前記第２穴部２３２よりも開口面積が小さい第３穴部２３３であって前記第１穴部２３１の同心円上に配置された複数の第３穴部２３３と、が反母趾球領域に形成されている。
【００３０】
［中敷本体の母趾球領域］
図１、図３、図９乃至図１１を主に参照して、中敷本体２の母趾球領域には、複数の孔部４１，４２が形成されている。
中敷本体２の母趾球領域に形成された複数の孔部４１，４２は、それぞれ独立している。前記複数の孔部４１，４２は、１つの基準孔部４１と、前記基準孔部４１の径外方向に配置された複数の衛星孔部４２と、から構成される。前記複数の衛星孔部４２のうち、少なくとも１つの衛星孔部４２は、その開口面積が前記基準孔部４１の開口面積よりも小さい。或いは、前記複数の衛星孔部４２の全ては、その開口面積が前記基準孔部４１の開口面積よりも小さい。
なお、本明細書において、孔部の開口面積は、平面視における孔部の開口面積をいう。
【００３１】
基準孔部４１及び衛星孔部４２の平面視形状（平面視における形状）は、それぞれ独立して、特に限定されず、例えば、略円形状、略長方形状、略正方形状、略正六角形状などの略正多角形状などが挙げられる。角部に応力が集中しないことから、基準孔部４１及び衛星孔部４２の平面視形状は、連続した曲線からなる無端環状であることが好ましく、そのような無端環状の中でも略円形状又は略楕円形状であることがより好ましく、図示例のように、略円形状であることがさらに好ましい。なお、略円形状は、真円のみならず、若干歪な円などを含む意味である。
【００３２】
基準孔部４１及び衛星孔部４２は、それぞれ独立して、中敷本体２の表裏面に貫通する貫通孔でもよく、或いは、中敷本体２の表裏面に貫通しない孔（非貫通孔）でもよい。基準孔部４１及び衛星孔部４２が非貫通孔である場合、それらは、中敷本体２の表面から中敷本体２の厚み方向中途部にまで形成された断面視凹状の孔でもよく、或いは、中敷本体２の裏面から中敷本体２の厚み方向中途部にまで形成された断面視凹状の孔でもよい。上述のように、中敷本体２が、軟質の表層２ａと硬質の裏層２ｂとを有する積層体から構成される場合、前記基準孔部４１及び衛星孔部４２は、いずれも、中敷本体２の裏面から少なくとも裏層２ｂを貫通するように形成されていることが好ましく、少なくとも裏層２ｂ及び表層２ａを貫通するように形成されていることがより好ましく、中敷本体２の表裏面に貫通する完全な貫通孔であることがさらに好ましい。なお、裏層２ｂ及び表層２ａを貫通するが中敷本体２の表裏面に貫通していない孔部としては、例えば、上述のように、最表面にスキン層が設けられた中敷本体２に対して、スキン層を貫通しないものなどが挙げられる。
孔部４１，４２を少なくとも硬質の裏層２ｂに貫通させることにより、母趾球領域の変形量の増大を期待できる。
【００３３】
複数の衛星孔部４２は、基準孔部４１の周囲であって基準孔部４１の径外方向に不規則に配置されていてもよいが、好ましくは、図示のように規則的に配置される。
例えば、基準孔部４１の重心を中心とする同心円状に並んで複数の衛星孔部４２が配置され、好ましくは、半径の異なる２つ以上の同心円上にそれぞれ複数の衛星孔部４２が配置され、より好ましくは、半径の異なる３つ以上の同心円上にそれぞれ複数の衛星孔部４２が配置される。なお、本明細書に記載の同心円は、概念であり、実際に、同心円が描かれているわけではない。本明細書において、同心円上に衛星孔部４２が配置されるとは、基準孔部４１の重心を中心とする同心円を仮に描いたときに、衛星孔部４２の重心が同心円の上に略位置していることをいう。また、基準孔部の重心及び衛星孔部の重心は、基準孔部の平面視形状における重心及び衛星孔部の平面視形状における重心を意味する。例えば、基準孔部及び衛星孔部の平面視形状が、それぞれ略円形状である場合、それらの重心は円の中心となる。
１つの同心円上に配置された複数の衛星孔部４２について、それらの周方向における間隔は一定でもよく、或いは、異なっていてもよい。好ましくは、１つの同心円上に配置された衛星孔部４２については、周方向における互いの間隔は同じとされる。
【００３４】
例えば、母趾球領域に、１つの基準孔部４１と、その半径の異なる２つ以上（好ましくは２つ〜７つ、より好ましくは２つ〜６つ、さらに好ましくは３つ〜５つ）の同心円上にそれぞれ配置された複数の衛星孔部４２と、が形成されている。半径の異なる同心円の間隔（各同心円の半径差）は、同じでもよく、或いは、異なっていてもよい。
図示例では、母趾球領域に、１つの基準孔部４１と、その半径の異なる３つの同心円上にそれぞれ配置された複数の衛星孔部４２と、が形成されている。
具体的には、基準孔部４１の重心を中心とし、その第１同心円上に複数（例えば８つ）の第１衛星孔部４２１が周方向に間隔をあけて並んで配置され、第１同心円よりも径大の第２同心円上に複数（例えば８つ）の第２衛星孔部４２２が周方向に間隔をあけて並んで配置され、第２同心円よりも径大の第３同心円上に複数（例えば８つ）の第３衛星孔部４２３が周方向に間隔をあけて並んで配置されている。複数の第１衛星孔部４２１は、その重心が第１同心円上に位置しており、複数の第２衛星孔部４２２は、その重心が第２同心円上に位置しており、複数の第３衛星孔部４２３は、その重心が第３同心円上に位置している。複数の第１衛星孔部４２１は、周方向において互いに等間隔とされ、複数の第２衛星孔部４２２は、周方向において互いに等間隔とされ、複数の第３衛星孔部４２３は、周方向において互いに等間隔とされている。
また、第１同心円と第２同心円の間隔（第２同心円の半径−第１同心円の半径）、及び、第２同心円と第３同心円の間隔（第３同心円の半径−第２同心円の半径）は、同じでもよく、或いは、異なっていてもよい。
【００３５】
異なる同心円上に配置されたそれぞれの衛星孔部４２（図示例の場合には、第１乃至第３衛星孔部４２１，４２２，４２３）は、基準孔部４１の径外方向に並んで配置されていてもよく、或いは、基準孔部４１の径外方向においてそれぞれの貫通孔が並んでいなくてもよく、或いは、少なくとも２つの衛星孔部４２が基準孔部４１の径外方向に並び且つ残る衛星孔部４２がその径外方向に並んでいなくてもよい。図示例では、第１衛星孔部４２１と第３衛星孔部４２３は、基準孔部４１の１つの径外方向に並んでいる。この場合、基準孔部４１、第１衛星孔部４２１及び第３衛星孔部４２３の重心を結ぶと、１つの直線（径外方向）となる。また、第２衛星孔部４２２は、前記径外方向に並んでいない。この場合、基準孔部４１及び第２衛星孔部４２２の重心を結ぶと、前記１つの直線とは向きの異なる直線（異なる向きの径外方向）となる。
【００３６】
前記のように、開口面積が基準孔部４１の開口面積よりも小さい衛星孔部４２を少なくとも１つ有することを条件にして、基準孔部４１と衛星孔部４２の開口面積は、特に限定されず、適宜設定できる。
好ましくは、複数の衛星孔部４２の全てが基準孔部４１の開口面積よりも小さく形成される。この場合、全ての孔部の中で、基準孔部４１は、開口面積が最も大きい孔部となる。
【００３７】
複数の衛星孔部４２は、（ａ）前記基準孔部４１から径外方向に離れるに従って開口面積が小さく形成されていてもよく、或いは、（ｂ）前記基準孔部４１から径外方向に離れるに従って開口面積が小さく形成されているものと、基準孔部４１から径外方向に離れるに従って開口面積が同じものとが混在していてもよく、或いは、（ｃ）前記基準孔部４１から径外方向に離れるに従って開口面積が小さく形成されているものと、基準孔部４１から径外方向に離れるに従って開口面積が同じものと、基準孔部４１から径外方向に離れるに従って開口面積が大きく形成されているものと、から選ばれる少なくとも２種が混在していてもよい。
【００３８】
例えば、上述の例において、第１衛星孔部４２１の開口面積が第２衛星孔部４２２よりも大きくてもよく、或いは、第１衛星孔部４２１の開口面積が第２衛星孔部４２２よりも小さくてもよく、或いは、同じでもよい。
好ましくは、基準孔部に最も近くに配置された衛星孔部の開口面積≧次に近くに配置された衛星孔部の開口面積、の関係を満たすように衛星孔部４２が形成され、より好ましくは、基準孔部に近い順でｎ番目の衛星孔部の開口面積≧ｎ＋１番目の衛星孔部の開口面積、の関係を満たすように衛星孔部４２が形成される。前記ｎは、自然数を意味する。１番目（ｎ＝１）の衛星孔部は、基準孔部に最も近くに配置された衛星孔部であり、２番目（ｎ＝２）の衛星孔部は、次に近くに配置された衛星孔部（１番目の衛星孔部の次に基準孔部の近くに配置された衛星孔部）であり、３番目（ｎ＝３）の衛星孔部は、次に近くに配置された衛星孔部（２番目の衛星孔部の次に基準孔部の近くに配置された衛星孔部）であり、ｎ番目の衛星孔部は、ｎ−１番目の衛星孔部の次に基準孔部の近くに配置された衛星孔部であり、ｎ＋１番目の衛星孔部は、基準孔部から最も遠くに配置された衛星孔部である。
さらに好ましくは、基準孔部に近い順でｎ番目の衛星孔部の開口面積＞ｎ＋１番目の衛星孔部の開口面積、の関係を満たすように衛星孔部４２が形成される。
【００３９】
図示例においては、基準孔部４１に最も近くに配置された衛星孔部４２が、第１衛星孔部４２１であり、次に近くに配置された衛星孔部４２が、第２衛星孔部４２２である。第１衛星孔部４２１の開口面積＞第２衛星孔部４２２の開口面積の関係、又は、第１衛星孔部４２１の開口面積＝第２衛星孔部４２２の開口面積の関係となるように形成されていることが好ましい。
径外方向に離れるに従って開口面積が小さくなる場合としては、基準孔部４１の開口面積＞第１衛星孔部４２１の開口面積＞第２衛星孔部４２２の開口面積＞第３衛星孔部４２３の開口面積、の関係を満たしている。
図示例は、混在している場合を例示しており、基準孔部４１の開口面積＞第１衛星孔部４２１の開口面積＞第２衛星孔部４２２の開口面積＝第３衛星孔部４２３の開口面積、の関係を満たしている。
具体的な寸法を例示すると、基準孔部４１の半径は、１．５ｍｍ〜４ｍｍで、第１衛星孔部４２１の半径は、１ｍｍ〜３．５ｍｍで、第２衛星孔部４２２の半径は、０．５ｍｍ〜３ｍｍで、第３衛星孔部４２３の半径は、０．２５ｍｍ〜２．５ｍｍである。
【００４０】
図１６は、中敷き１の表面に、使用者の足裏骨格を重ねた参考表面図であり、基準孔部４１などの形成範囲を説明するための参考図である。
基準孔部４１の形成位置は、母趾球領域内であれば特に限定されないが、足長方向の前後又は足幅方向の内外の何れかに偏らないことが好ましい。図１６を参照して、例えば、中敷本体２の最前端縁から最後端縁までの足長を１００％とした場合、前記中敷本体２の最後端縁から６６．１％〜７３．９％の範囲内に、基準孔部４１の一部分が位置するように、基準孔部４１を形成することが好ましく、前記中敷本体２の最後端縁から６８．７％〜７１．３％の範囲内に、基準孔部４１の重心が位置するように基準孔部４１を形成することがより好ましい。特に、基準孔部４１の重心が足長方向における前記範囲内（６６．１％〜７３．９％などの範囲内）に位置するように形成することが好ましく、基準孔部４１の全体が前記範囲内に含まれるように形成することがより好ましい。
【００４１】
また、足幅方向においては、中敷本体２の最内側縁から最外側縁までの足幅を１００％とした場合、前記中敷本体２の最内側縁から１４％〜２０％の範囲内に、基準孔部４１の一部分が位置するように、基準孔部４１を形成することが好ましく、前記中敷本体２の最内側縁から１６％〜１８％の範囲内に、基準孔部４１の一部分が位置するように、基準孔部４１を形成することがより好ましい。特に、基準孔部４１の重心が足幅方向における前記範囲内（１４％〜２０％などの範囲内）に位置するように形成することが好ましく、基準孔部４１の全体が前記範囲内に含まれるように形成することがより好ましい。
後述するように、中敷き１の使用時には、使用者の足裏の母趾球部が基準孔部４１側へと導かれる。前記範囲は正常な母趾球部が接地する位置であり、前記範囲に基準孔部４１が形成されていることにより、外反母趾者の母趾球部を正常な位置に導くことができる。
【００４２】
また、互いに独立している複数の衛星孔部４２は、基準孔部４１の周囲に密集的に配置されている。複数の衛星孔部４２の形成範囲は、適宜設定されるが、後述する孔部の作用効果を十分に奏するために、適切な範囲内に衛星孔部４２が形成されていることが好ましい。例えば、基準孔部４１の重心を中心とする所定半径の範囲内に、複数の衛星孔部４２が形成されていることが好ましい。前記所定半径は、中敷本体２の足幅を１００％とした場合、５％〜２５％の長さに相当する。
具体的な寸法を例示すると、前記所定半径は、５ｍｍ〜２５ｍｍである。
【００４３】
図１７及び図１８は、母趾球領域に形成された複数の孔部のみを表した拡大裏面図であり、孔開口率の特定方法を説明するための参考図である。図１７及び図１８の白抜き矢印は、径外方向を指している。
前記複数の衛星孔部４２は、基準孔部４１の径外方向において、孔部の孔開口率が小さくなる部分を有するように形成されている。
前記孔開口率は、単位面積当たりの孔部の開口面積の割合をいう。「基準孔部４１の径外方向において、孔開口率が小さくなる」とは、次の条件（１）又は条件（２）に基づいて決定された孔開口率が径外方向において小さくなっていることをいう。
【００４４】
＜条件（１）＞
（ａ）第１の孔開口率の決定
孔開口率は、単位面積当たりの孔部の開口面積であり、式：｛孔部の開口面積／所定面積｝×１００、で求められる。
図１７を参照して、基準孔部４１の同心円であって、半径の異なる内外２つの同心円を観念する。その２つの同心円の半径差は、基準孔部４１の最も近くに位置する第１衛星孔部４２１の直径（第１衛星孔部４２１の平面視形状が略円形状でない場合には、円相当径とする）と同じである。つまり、１つの同心円の半径−もう１つの同心円の半径＝第１衛星孔部４２１の直径。
前記半径差を維持しながら、前記２つの同心円（径大な同心円と径小な同心円）を径外に拡げていく。図示のように、径大な同心円Ｂが、基準孔部４１に最も近い衛星孔部（図示例では、第１衛星孔部４２１）に、当該同心円Ｂの径内側において外接したときに、径大な同心円Ｂと径小な同心円Ａで挟まれた範囲（平面視でドーナツ状の範囲）の面積と、その範囲に含まれる全ての衛星孔部の開口面積の和と、を算出する。上記孔開口率の式に従い、第１の孔開口率を求める。
第１の孔開口率＝｛同心円Ａ，Ｂで囲われる範囲に含まれる全ての衛星孔部の開口面積の和｝／｛同心円Ａ，Ｂで挟まれた範囲の面積｝×１００。
【００４５】
（ｂ）第２の孔開口率などの決定
前記半径差を維持しながら、前記２つの同心円をさらに径外に拡げていく。径大な同心円Ｄが次の衛星孔部（図示例では、第２衛星孔部４２２）に当該同心円Ｄの径内側において外接したときに、径大な同心円Ｄと径小な同心円Ｃで挟まれた範囲の面積と、その範囲に含まれる全ての衛星孔部の開口面積の和と、を算出し、第２の孔開口率を求める。
第２の孔開口率＝｛同心円Ｃ，Ｄで囲われる範囲に含まれる全ての衛星孔部の開口面積の和｝／｛同心円Ｃ，Ｄで挟まれた範囲の面積｝×１００。
同様にして、さらに、径大な同心円Ｆが次の衛星孔部（図示例では、第３衛星孔部４２３）に径内側において外接したときに、径大な同心円Ｆと径小な同心円Ｅで挟まれた範囲の面積と、その範囲に含まれる全ての衛星孔部の開口面積の和と、を算出し、第３の孔開口率を求める。
第３の孔開口率＝｛同心円Ｅ，Ｆで囲われる範囲に含まれる全ての衛星孔部の開口面積の和｝／｛同心円Ｅ，Ｆで挟まれた範囲の面積｝×１００。
事後、同様にして、第４の孔開口率…を決定できる。前記第１の孔開口率、第２の孔開口率、第３の孔開口率、第４の孔開口率…は、基準孔部４１の径外方向において順に観念できるものである。
なお、図示例のような衛星孔部の配置にあっては、条件（１）に従えば、第１乃至第３の孔開口率を決定できる。
【００４６】
＜条件（２）＞
（ａ）第１の孔開口率の決定
孔開口率は、単位面積当たりの孔部の開口面積であり、式：｛孔部の開口面積／所定面積｝×１００、で求められる。
図１８を参照して、基準孔部４１の最も近くに位置する１つの第１衛星孔部４２１を完全に含む最小面積の長方形又は正方形Ｇ（以下、単に長方形Ｇという）を観念する。
第１の孔開口率＝｛長方形Ｇで囲われる範囲に含まれる衛星孔部の開口面積｝／｛長方形Ｇの面積｝×１００。
【００４７】
（ｂ）第２の孔開口率などの決定
前記長方形Ｇの形状を維持しつつそれを径外方向にスライドさせる。その長方形Ｇが、次の衛星孔部（図示例では、第３衛星孔部４２３）に当該長方形Ｇの径内側において外接したときに、長方形Ｇに含まれる全ての衛星孔部の開口面積の和と、を算出し、第２の孔開口率を求める。
第２の孔開口率＝｛長方形Ｇで囲われる範囲に含まれる衛星孔部の開口面積の和｝／｛長方形Ｇの面積｝×１００。
さらに、前記長方形Ｇの形状を維持しつつそれを径外方向にスライドさせ、同様にして、第３の孔開口率、第４の孔開口率…を決定できる。前記第１の孔開口率、第２の孔開口率、第３の孔開口率、第４の孔開口率…は、基準孔部４１の径外方向において順に観念できるものである。
なお、図示例のような衛星孔部の配置にあっては、条件（２）に従えば、第２の孔開口率まで決定できる。
【００４８】
本発明では、基準孔部４１の径外方向において、孔部の孔開口率が小さくなる部分を有していればよい。すなわち、第１の孔開口率＞第２の孔開口率、第２の孔開口率＞第３の孔開口率、第３の孔開口率＞第４の孔開口率、第４の孔開口率＞第５の孔開口率…から選ばれる少なくとも１つの関係を満たしていればよい。例えば、第１の孔開口率＞第２の孔開口率で且つ第２の孔開口率＝第３の孔開口率の関係となっている、或いは、第１の孔開口率＝第２の孔開口率で且つ第２の孔開口率＞第３の孔開口率の関係などになっていてもよい。
後述する孔部の作用効果を十分に奏するために、前記基準孔部４１から径外方向に向かって孔開口率が順次小さくなるように、前記複数の衛星孔部４２が形成されていることが好ましい。つまり、第１の孔開口率＞第２の孔開口率＞第３の孔開口率＞第４の孔開口率…の関係を全て満たしていることが好ましい。これらの関係は、上記条件（１）又は条件（２）のいずれか一方の条件に基づいて満たしていればよいが、中でも、上記条件（１）及び条件（２）の双方の条件に基づいて満たしていることが好ましい。
なお、条件（２）に基づく場合には、少なくとも概ね足幅方向（足幅方向は、基準孔部４１の径外方向の１つである）において、孔部の孔開口率が小さくなっていることが好ましく、さらに、少なくとも概ね足幅方向及び概ね足長方向（足幅方向及び足幅方向は、いずれも、基準孔部４１の径外方向の１つである）において、孔部の孔開口率が小さくなっていることがより好ましい。
図示例では、条件（１）に基づいて、第１の孔開口率＞第２の孔開口率＞第３の孔開口率の関係を満たしており、第１乃至第３衛星孔部４２１，４２２，４２３は、基準孔部４１から径外方向に向かって孔開口率が順次小さくなるように形成されている。
また、図示例では、条件（２）に基づいても、少なくとも足幅方向及び足長方向において、第１の孔開口率＞第２の孔開口率の関係を満たしている。
【００４９】
図３、図９乃至図１１を主に参照して、前記中敷本体２の母趾球領域の裏面には、凹部５が形成されている。以下、この凹部を「母趾球凹部」という。母趾球凹部５は、中敷本体２の表面側に凹んだ凹部である。
母趾球凹部５は、全ての孔部４１，４２（基準孔部４１及び衛星孔部４２）が形成された範囲に少なくとも対応して設けられている。例えば、母趾球凹部５は、上述の基準孔部４１の重心を中心とする所定半径の範囲（中敷本体２の足幅を１００％とした場合、５％〜２５％の長さを半径とする範囲）に少なくとも設けられる。図示例では、前記所定半径の範囲よりも少し大きい範囲に、母趾球凹部５が形成されている。
例えば、母趾球凹部５は、中敷本体２の足幅を１００％とした場合、５％〜３０％の長さを半径とする範囲に形成されていることが好ましい。
【００５０】
前記母趾球凹部５は、最深部を含む中央部５ａと、凹部の窪み開始部分である縁部５ｂと、から構成されている。前記中央部５ａは、立体的には、平坦状に形成されている（断面視では、直線状に形成されている）。その中央部５ａの周囲に存する母趾球凹部５の縁部５ｂは、断面視傾斜状に形成されている。前記断面視傾斜状は、直線を描いて傾斜（直状傾斜）していてもよく、或いは、弧を描いて傾斜（弧状傾斜）していてもよい。なお、弧状傾斜は、中敷本体２の表面側に膨らんだ弧状である。
前記縁部５ｂは、立体的には、すり鉢上方部の如き形態である。断面視直状の縁部５ｂは、傾斜した直線が周方向に連続して面を成し、断面視弧状の縁部５ｂは、傾斜した円弧が周方向に連続して曲面を成した如き立体形状である。好ましくは、縁部５ｂは、断面視弧状に形成される。
なお、傾斜状の縁部５ｂから平坦状の中央部５ａへと滑らかに連続しているので、図面上、縁部５ｂと中央部５ａの境界を明確に表すことは困難である。
【００５１】
母趾球凹部５は、母趾球領域の裏面において閉鎖的でもよく、一部の縁部が中敷本体２の縁から開放されていてもよい。閉鎖的な母趾球凹部５は、図示のように、中央部５ａの周囲全体に亘って傾斜状の縁部５ｂが形成されているものをいう。閉鎖的な凹部５は、中敷本体２を裏面側から見た際に、前記断面視傾斜状の縁部５ｂを全て視認できる。
一部が開放されている母趾球凹部５は、特に図示しないが、母趾球凹部５の一部の縁部が、中敷本体２の内側縁に一致し、中敷きを側面から見たときに、母趾球凹部５の縁部５ｂの輪郭を視認できる状態をいう。
母趾球凹部５の少なくとも前側、後側及び外側における中敷本体２の厚みは、母趾球凹部５の中央部５ａにおける中敷本体２の厚みよりも大きくなっている。このため、前記母趾球凹部５の前側、後側及び外側の剛性が、母趾球凹部５の中央部の剛性よりも大きくなっている。
母趾球凹部５の中央部の深さは、適宜設定されるが、余りに小さいと母趾球凹部５を設けた意義がなく、余りに大きいと母趾球領域の厚みが小さくなりすぎる。かかる観点から、母趾球凹部５の中央部５ａの深さ（最深部の深さ）は、０．５ｍｍ〜４ｍｍが好ましく、１ｍｍ〜３ｍｍがより好ましい。
【００５２】
中敷本体２の母趾球領域に、基準孔部４１と、孔開口率が小さくなる部分を有するように形成された複数の衛星孔部４２と、が形成されている。或いは、母趾球領域の衛星孔部４２が、基準孔部に最も近くに配置された衛星孔部の開口面積≧次に近くに配置された衛星孔部の開口面積、の関係を満たすように形成されている。
このような孔部が形成されていることによって、母趾球領域の変形量を増大させることができ、特に、母趾球領域のうち基準孔部４１の近傍における変形量を増大させることができる。その作用効果を説明する。ある物体に外から力を加えたとき、その物体内部に内力が生じる。内力を断面積で割った値が応力であり、応力＝内力／断面積、で表される。これは、同じ大きさの内力が作用していても、断面積が小さければ応力が大きくなることを示している。また、物体の変形前の寸法に対する変形量の比率である、ひずみは、ひずみ＝変形量／元の長さ、で表される。物体は、応力が一定値を超えない範囲においてフックの法則に従うため、ひずみは応力に比例する。つまり、断面積を小さくすることによって、ひずみが大きくなる。
【００５３】
上述のように、基準孔部４１の径外方向において孔開口率が小さくなる部分を有している、換言すると、母趾球領域の周縁から基準孔部４１に向かう方向において孔開口率が大きくなる部分を有していることにより、基準孔部４１の近傍のひずみが大きくなるので、基準孔部４１の近傍の変化量がそれよりも径外方向における部分に比して大きくなる。最も近くに配置された衛星孔部の開口面積≧次に近くに配置された衛星孔部の開口面積の関係に衛星孔部４２が形成されている場合も同様に、基準孔部４１の近傍の変化量がそれよりも径外方向における部分に比して大きくなる。
このため、外反母趾者の足裏が中敷本体２に接地した際、中敷本体２の母趾球領域のうち基準孔部４１の近傍が大きく変形するので、足裏の母趾球部が基準孔部４１側へと導かれる。よって、比較的多くの外反母趾者に適合する中敷き１を提供できる。また、基準孔部４１側に足裏の母趾球部が導かれるので、足部変形防止効果も期待できる。
【００５４】
さらに、断面視傾斜状の縁部５ｂを有する母趾球凹部５が母趾球領域の裏面側に形成されているので、中敷本体２のうち基準孔部４１の近傍が大きく変形し易くなる。外反母趾者の足部変形には程度差があり、中敷き１に対する荷重の加わり方も外反母趾者によって一様でないと考えられる。上述のような縁部５ｂを有する母趾球凹部５が母趾球領域の裏面側に形成されていることにより、母趾球領域の表面に加わる荷重が足幅方向の内外の何れかにずれた場合でも、母趾球凹部５の中央部５ａにおける母趾球領域が大きく変形するようになる。特に、凹部５の縁部５ｂと中央部５ａが連続した滑らかな面を成しているので、母趾球凹部５の中央部５ａにおける母趾球領域が大きく変形するようになる。母趾球凹部５の中央部には、基準孔部４１が配置されているので、前述の基準孔部４１と母趾球凹部５の相乗により、中敷本体２の母趾球領域のうち基準孔部４１の近傍が大きく変形し、足裏の母趾球部が基準孔部４１側へと導かれる。
本発明者は、市販のシミュレーションソフトを用いて解析し、その解析結果から前記母趾球凹部５の作用効果を検証している。
【００５５】
［中敷本体の踵領域］
図３、図１２乃至図１５を主に参照して、中敷本体２の踵領域の裏面には、凹部６が形成されている。以下、この凹部を「踵凹部」という。踵凹部６は、中敷本体２の表面側に凹んだ凹部である。
踵凹部６の平面視形状は、特に限定されないが、踵凹部６の効果を十分に奏するために、平面視略滴状に形成されていることが好ましい。
踵凹部６は、母趾球凹部５と同様に、最深部を含む中央部６ａと、凹部の窪み開始部分である縁部６ｂと、から構成されている。前記中央部６ａは、立体的には、平坦状に形成されている。その中央部６ａの周囲に存する踵凹部６の縁部６ｂは、断面視傾斜状に形成されている。前記断面視傾斜状は、直線を描いて傾斜（直状傾斜）していてもよく、或いは、弧を描いて傾斜（弧状傾斜）していてもよい。なお、弧状傾斜は、中敷本体２の表面側に膨らんだ弧状である。
【００５６】
前記縁部６ｂは、立体的には、すり鉢上方部の如き形態である。断面視直状の縁部６ｂは、傾斜した直線が周方向に連続して面を成し、断面視弧状の縁部６ｂは、傾斜した円弧が周方向に連続して曲面を成した如き立体形状である。好ましくは、縁部６ｂは、断面視弧状に形成される。
なお、傾斜状の縁部６ｂから平坦状の中央部６ａへと滑らかに連続しているので、図面上、縁部６ｂと中央部６ａの境界を明確に表すことは困難である。
踵凹部６の縁部６ｂは、踵領域の裏面において閉鎖的でもよく、一部の縁部が中敷本体２の縁から開放されていてもよい。図示例では、踵凹部６は、踵領域の裏面において閉鎖的に形成され、従って、中敷本体２を裏面側から見た際に、前記断面視傾斜状の縁部６ｂを全て視認できる。
踵凹部６の中央部６ａの深さ（最深部の深さ）は、適宜設定されるが、余りに小さいと踵凹部６を設けた意義がなく、余りに大きいと踵領域の厚みが小さくなりすぎる。かかる観点から、踵凹部６の中央部の深さは、０．５ｍｍ〜４ｍｍが好ましく、１ｍｍ〜３ｍｍがより好ましい。
【００５７】
平面視略滴状の踵凹部６は、弧状縁６ｃと及び弧状縁６ｃとは反対側の尖縁６ｄを有する。
平面視略滴状の踵凹部６は、例えば、足長方向の前側に尖縁６ｄを向け且つ足長方向の後側に弧状縁６ｃを向けて配置されている。前記踵凹部６は、図示例のように、略滴状の軸線が中敷本体２の足長方向に対して傾斜するように配置されていてもよく、或いは、特に図示しないが略滴状の軸線が中敷本体２の足長方向に対して平行となるように配置されていてもよい。
好ましくは、略滴状の軸線が中敷本体２の足長方向に対して外側に傾斜（裏面側から見て、略滴状の縁部６ｂが外側に向いて傾斜）するように、踵凹部６が配置される。足幅方向に対する前記軸線の傾斜角度は、特に限定されないが、例えば、１０度〜４５度であり、好ましくは１５度〜３５度である。
なお、略滴状の軸線は、弧状縁６ｃの先端と尖縁６ｄの先端を結んだ仮想の直線をいう。
【００５８】
このような略滴状の踵凹部６が踵領域の裏面に形成されていることにより、足裏の踵部が踵領域に接地した際に、正常な重心移動の軌跡である外側への移動軌跡に沿った歩行を誘導でき、外反母趾者の過回内を抑制して外反母趾に関連した足部の変形の進行を防止できる。さらに、弧状の縁部６ｂを有する踵凹部６が踵領域の裏面側に形成されているので、母趾球凹部５と同様に、基準踵孔部７１の近傍が大きく変形し易くなる。従って、踵領域の表面に加わる荷重が足幅方向の内外の何れかにずれた場合でも、踵凹部６の中央部における踵領域が大きく変形するようになり、後述する基準踵孔部７１との相乗により、足裏の踵部が基準踵孔部７１側へと導かれ、比較的多くの外反母趾者に適合しうる中敷きを構成できる。
前記略滴状の踵凹部６のみでも足部変形防止効果を十分に奏するが、前記踵凹部６と上述の母趾球領域に形成された複数の孔部４１，４２とが相乗することにより、特に効果的である。
【００５９】
本発明者らは、上記のように外側に傾斜配置させた平面視略滴状の踵凹部６を形成した中敷き１（実施例サンプル）と、平面視略円形状の踵凹部を形成した中敷き（比較例サンプル）と、を市販のシミュレーションソフトを用いて解析し、その解析結果から上記踵凹部６の作用効果を検証している。
【００６０】
また、必要に応じて、踵領域に孔部７１，７２が形成されていてもよい。以下、母趾球領域に形成された孔部と区別するために、踵領域の孔部を「踵孔部」という。
踵孔部７１，７２は、母趾球領域に形成された孔部と同様に、１つの基準踵孔部７１と、前記基準踵孔部７１の径外方向に配置された複数の衛星踵孔部７２と、から構成される。
基準踵孔部７１及び衛星踵孔部７２の平面視形状（平面視における形状）は、それぞれ独立して、特に限定されず、例えば、略円形状、略長方形状、略正方形状、略正六角形状などの略正多角形状などが挙げられる。角部に応力が集中しないことから、基準踵孔部７１及び衛星踵孔部７２の平面視形状は、連続した曲線からなる無端環状であることが好ましく、そのような無端環状の中でも略円形状又は略楕円形状であることがより好ましく、図示例のように、略円形状であることがさらに好ましい。
基準踵孔部７１と衛星踵孔部７２は、それぞれ独立して、貫通孔でもよく、或いは、非貫通孔でもよい。基準踵孔部７１及び衛星踵孔部７２が非貫通孔である場合、それらは、中敷本体２の表面から中敷本体２の厚み方向中途部にまで形成された断面視凹状の孔でもよく、或いは、中敷本体２の裏面から中敷本体２の厚み方向中途部にまで形成された断面視凹状の孔でもよい。中敷本体２が軟質の表層２ａと硬質の裏層２ｂとを有する場合、前記基準踵孔部７１及び衛星踵孔部７２は、いずれも、中敷本体２の裏面から少なくとも裏層２ｂを貫通するように形成されていることが好ましい。図示例の基準踵孔部７１及び衛星踵孔部７２は、いずれも貫通孔である。孔部７１，７２を少なくとも硬質の裏層２ｂに貫通させることにより、踵領域の変形量の増大を期待できる。
【００６１】
基準踵孔部７１及び複数の衛星踵孔部７２は、略滴状の踵凹部６に対応する範囲内に配置されている。衛星踵孔部７２の数及び配置は、特に限定されず、適宜設定できる。複数の衛星踵孔部７２は、基準踵孔部７１の周囲に不規則に配置されていてもよいが、好ましくは、図示のように規則的に配置される。
図示例では、１つの基準踵孔部７１と、その基準踵孔部７１の同心円状に配置された複数の第１衛星踵孔部７２１と、略滴状の踵凹部６の尖縁方向に配置された複数の第２衛星踵孔部７２２と、が踵領域に形成されている。
基準踵孔部７１と衛星踵孔部７２の開口面積は、特に限定されず、適宜設定できる。図示例では、基準踵孔部７１の開口面積＞第１衛星踵孔部７２１の開口面積＞第２衛星踵孔部７２２の開口面積、とされている。
踵領域に前記基準踵孔部７１及び衛星踵孔部７２が形成されていることによって、踵領域の変形量を増大でき、特に、基準踵孔部７１の近傍における変形量を増大させることができ、足裏の踵部の過回内を抑制する効果を奏する。
【００６２】
基準踵孔部７１の形成位置は、踵凹部６に対応する範囲内であれば特に限定されないが、足長方向の前後又は足幅方向の内外の何れかに偏らないことが好ましい。図１６を参照して、例えば、中敷本体２の最前端縁から最後端縁までの足長を１００％とした場合、前記中敷本体２の最後端縁から１４％〜２０％の範囲内に、基準踵孔部７１の一部分が位置するように、基準踵孔部７１を形成することが好ましく、前記中敷本体２の最後端縁から１６％〜１８％の範囲内に、基準踵孔部７１の一部分が位置するように、基準踵孔部７１を形成することがより好ましい。特に、基準踵孔部７１の重心が足長方向における前記範囲内（１４％〜２０％などの範囲内）に位置するように形成することが好ましく、基準踵孔部７１の全体が前記範囲内に含まれるように形成することがより好ましい。
【００６３】
また、足幅方向においては、中敷本体２の最内側縁から最外側縁までの足幅を１００％とした場合、前記中敷本体２の最内側縁から４４％〜５６％の範囲内に、基準踵孔部７１の一部分が位置するように、基準踵孔部７１を形成することが好ましく、前記中敷本体２の最内側縁から４８％〜５２％の範囲内に、基準踵孔部７１の一部分が位置するように、基準踵孔部７１を形成することがより好ましい。特に、基準踵孔部７１の重心が足幅方向における前記範囲内（４４％〜５６％などの範囲内）に位置するように形成することが好ましく、基準踵孔部７１の全体が前記範囲内に含まれるように形成することがより好ましい。
【００６４】
本発明は、上記に示した実施形態に限られず、本発明の意図する範囲で様々に変更できる。以下、変形例を説明するが、その説明に於いては、主として上述の実施形態と異なる構成及び効果について説明し、同様の構成などについては、用語又は符号をそのまま援用し、その構成の説明を省略する場合がある。
【００６５】
［凹部の変形例］
上記において、母趾球凹部５の縁部５ｂが断面視直状でもよいことを説明したが、その一例を図１９に示している。
また、上記では、母趾球凹部５の中央部５ａが平坦状である場合を例示したが、これに限定されず、例えば、図２０に示すように、中央部５ａが、断面視弧状（好ましくは、図示のように表面側に膨らむ弧状）に形成されていてもよい。この場合、凹部５の縁部５ｂは、断面視直状に形成されていてもよいが、図示のように、断面視弧状に形成されていることが好ましい。特に、弧状の縁部５ｂと弧状の中央部５ａが連続した滑らかな曲線を成して形成されていることがより好ましい。また、母趾球凹部５の最深部に基準孔部４１が配置されていることが好ましい。
【００６６】
また、図２１に示すように、中央部５ａが、断面視山型状に形成されていてもよい。この場合、母趾球凹部５の縁部５ｂは、断面視弧状に形成されていてもよいが、図示のように、断面視直状に形成されていることが好ましい。特に、直状の縁部５ｂと山型状の中央部５ａが同じ傾斜角の直線状を成して形成されていることがより好ましい。なお、このように縁部５ｂと中央部５ａが連続直線状に形成された母趾球凹部５は、立体的には、多角錐状に窪んでいるものである。
ここで、上記各変形例の凹部を表した図１９乃至図２１は、足幅方向（図９のＸＩ−ＸＩと同じ箇所）で各変形例を切断したものである。各変形例の凹部は、足長方向（図９のＸ−Ｘと同じ箇所）で切断した場合も、前記足幅方向と同様な形状に表されるので、足長方向の断面図は省略している。
【００６７】
踵凹部６についても、上記母趾球凹部５の変形例と同様に変形することもできる。上記母趾球凹部５の変形例の説明欄の「母趾球凹部５」、「中央部５ａ」、「縁部５ｂ」を、それぞれ「踵凹部６」、「中央部６ａ」、「縁部６ｂ」と読み替えることにより、踵凹部６の変形例を説明したものとする。
【００６８】
［孔部の変形例］
例えば、母趾球領域に設けられた基準孔部４１及び衛星孔部４２について、次のように変更することもできる。
図２２乃至図３０は、それぞれ、母趾球領域に設けられた基準孔部及び衛星孔部の変形例であり、基準孔部及び衛星孔部のみを表している。
【００６９】
図２２に示す第１変形例は、基準孔部４１の重心を中心とし、その第１同心円に複数（例えば８つ）の第１衛星孔部４２１が所定間隔をあけて並んで配置され、第１同心円よりも径大の第２同心円に複数（例えば８つずつ）の第２衛星孔部４２２１，４２２２が所定間隔をあけて並んで配置され、第２同心円よりも径大の第３同心円に複数（例えば８つ）の第３衛星孔部４２３が所定間隔をあけて並んで配置されている。複数の第１衛星孔部４２１は、その重心が第１同心円上に位置しており、複数の第２衛星孔部４２２１，４２２２は、その重心が第２同心円上に位置しており、複数の第３衛星孔部４２３は、その重心が第３同心円上に位置している。複数の第１衛星孔部４２１は、周方向において互いに等間隔とされ、複数の第２衛星孔部４２２１，４２２２は、周方向において互いに等間隔とされ、複数の第３衛星孔部４２３は、周方向において互いに等間隔とされている。また、２衛星孔部４２２１と第２衛星孔部４２２２は、周方向に交互に設けられている。
図示例では、基準孔部４１の開口面積＞第１衛星孔部４２１の開口面積＞第２衛星孔部４２２１の開口面積＞第３衛星孔部４２３の開口面積＞第２衛星孔部４２２２の開口面積、となっている。
この第１変形例でも、第１の孔開口率＞第２の孔開口率＞第３の孔開口率の関係を満たしている。
【００７０】
図２３に示す第２変形例は、上記第１変形例と比べて、第２衛星孔部４２２１，４２２２の配置が異なっている例である。
上記第１変形例では、第１衛星孔部４２１、第２衛星孔部４２２２及び第３衛星孔部４２３が基準孔部４１の径外方向に並んで配置されているが、第２変形例では、第１衛星孔部４２１、第２衛星孔部４２２１及び第３衛星孔部４２３が基準孔部４１の径外方向に並んで配置されている。その余の点においては、第２変形例は第１変形例と同様である。
【００７１】
図２４に示す第３変形例は、基準孔部４１の重心を中心とし、その第１同心円上に複数（例えば６つ）の第１衛星孔部４２１が所定間隔をあけて並んで配置され、それよりも径大の第２同心円上に複数（例えば６つ）の第２衛星孔部４２２が所定間隔をあけて並んで配置され、それよりも径大の第３同心円上に複数（例えば１２つ）の第３衛星孔部４２３が所定間隔をあけて並んで配置され、それよりも径大の第４同心円上に複数（例えば６つ）の第４衛星孔部４２４が所定間隔をあけて並んで配置されている。
図示例では、基準孔部４１の開口面積＞第１衛星孔部４２１の開口面積＝第２衛星孔部４２２の開口面積＞第３衛星孔部４２３の開口面積＝第４衛星孔部４２４の開口面積、となっている。
【００７２】
図２５に示す第４変形例は、基準孔部４１の第１同心円上に複数（例えば８つ）の第１衛星孔部４２１が所定間隔をあけて並んで配置され、第２同心円上に複数（例えば２つ）の第２衛星孔部４２２が所定間隔をあけて並んで配置され、第３同心円上に複数（例えば２つ）の第３衛星孔部４２３が所定間隔をあけて並んで配置され、第４同心円上に複数（例えば４つ）の第４衛星孔部４２４が所定間隔をあけて並んで配置されている。
図示例では、基準孔部４１の開口面積＞第１衛星孔部４２１の開口面積＝第４衛星孔部４２４の開口面積＞第２衛星孔部４２２の開口面積＝第３衛星孔部４２３の開口面積、となっている。
【００７３】
図２６に示す第５変形例は、基準孔部４１の第１同心円上に複数（例えば６つ）の第１衛星孔部４２１が所定間隔をあけて並んで配置され、第２同心円上に複数（例えば６つ）の第２衛星孔部４２２が所定間隔をあけて並んで配置され、第３同心円上に複数（例えば６つ）の第３衛星孔部４２３が所定間隔をあけて並んで配置され、第４同心円上に複数（例えば６つ）の第４衛星孔部４２４が所定間隔をあけて並んで配置されている。
図示例では、基準孔部４１の開口面積＞第１衛星孔部４２１の開口面積＝第２衛星孔部４２２の開口面積＞第３衛星孔部４２３の開口面積＝第４衛星孔部４２４の開口面積、となっている。
【００７４】
図２７に示す第６変形例は、基準孔部４１の重心を中心とする数多くの同心円上に衛星孔部が配置されている。同心円毎に分類すると、第１同心円上に複数（例えば２つ）の第１衛星孔部４２１が配置され、第２同心円上に複数（例えば６つ）の第２衛星孔部４２２１，４２２２が配置され、第３同心円上に複数（例えば２つ）の第３衛星孔部４２３が配置され、第４同心円上に複数（例えば４つ）の第４衛星孔部４２４が配置され、第５同心円上に複数（例えば２つ）の第５衛星孔部４２５が配置されている。
図示例では、基準孔部４１の開口面積＞第１衛星孔部４２１の開口面積＝第２衛星孔部４２２２の開口面積＝第３衛星孔部４２３の開口面積＞第２衛星孔部４２２１の開口面積＝第４衛星孔部４２４の開口面積＝第５衛星孔部４２５の開口面積、となっている。
なお、図２７は、基準孔部４１の重心を中心とする同心楕円状に複数の衛星孔部が配置されている例でもある。図２７において、衛星孔部４２３，４２２２は、基準孔部４１の重心を中心とする１つの楕円上に配置され、衛星孔部４２２１，４２４，４２５は、同心楕円であって前記１つの楕円よりも径大な同心楕円上に配置されている。
【００７５】
図２８に示す第７変形例は、衛星孔部４２１，４２２が、平面視略楕円形状に形成されている例である。基準孔部４１の第１同心円上に複数（例えば８つ）の略楕円状の第１衛星孔部４２１が所定間隔をあけて並んで配置され、第２同心円上に複数（例えば８つ）の略楕円状の第２衛星孔部４２２が所定間隔をあけて並んで配置されている。
図示例では、基準孔部４１の開口面積＞第１衛星孔部４２１の開口面積＞第２衛星孔部４２２の開口面積、となっている。
【００７６】
図２９に示す第８変形例は、衛星孔部４２１，４２２が、平面視略三角形状（例えば、二等辺三角形状）に形成されている例である。基準孔部４１の第１同心円上に複数（例えば８つ）の略三角形状の第１衛星孔部４２１が所定間隔をあけて並んで配置され、第２同心円上に複数（例えば１６つ）の略三角形状の第２衛星孔部４２２が所定間隔をあけて並んで配置されている。
図示例では、基準孔部４１の開口面積＞第１衛星孔部４２１の開口面積＞第２衛星孔部４２２の開口面積、となっている。
【００７７】
なお、本明細書において、様々な部分に形成された孔部の平面視形状（例えば、平面視略円形状、略楕円形状など）は、１つの孔部として機能する実質的な形状を意味する。
すなわち、例えば、図３０に示すような、僅かな間隔をあけて隣接された平面視半円形状の一対の孔部は、その半円形の孔部がそれぞれ独立して機能せず、一対の孔部が一体となって機能するものと言える。このような僅かな間隔をあけて隣接された平面視半円形状の一対の孔部は、実質的には、平面視円形状の１つの孔部と見なされる。このように本明細書においては、孔部の平面視形状は、実質的な形状を意味するものとする。
【００７８】
［その他］
本発明の中敷きは、外反母趾者に好適であるが、本発明の中敷きの使用者は、外反母趾者に限定されるわけではなく、健常者が本発明の中敷きを使用してもよいことは言うまでもない。
【符号の説明】
【００７９】
１  中敷き
２  中敷本体
４１  基準孔部
４２  衛星孔部
５  母趾球領域に形成された凹部
５ａ  母趾球領域に形成された凹部の中央部
５ｂ  母趾球領域に形成された凹部の縁部
６  踵領域に形成された凹部
６ｃ  踵領域に形成された凹部の弧状縁
６ｄ  踵領域に形成された凹部の尖縁
【図１】
2019093001.tif 000003
【図２】
2019093001.tif 000004
【図３】
2019093001.tif 000005
【図４】
2019093001.tif 000006
【図５】
2019093001.tif 000007
【図６】
2019093001.tif 000008
【図７】
2019093001.tif 000009
【図８】
2019093001.tif 000010
【図９】
2019093001.tif 000011
【図１０】
2019093001.tif 000012
【図１１】
2019093001.tif 000013
【図１２】
2019093001.tif 000014
【図１３】
2019093001.tif 000015
【図１４】
2019093001.tif 000016
【図１５】
2019093001.tif 000017
【図１６】
2019093001.tif 000018
【図１７】
2019093001.tif 000019
【図１８】
2019093001.tif 000020
【図１９】
2019093001.tif 000021
【図２０】
2019093001.tif 000022
【図２１】
2019093001.tif 000023
【図２２】
2019093001.tif 000024
【図２３】
2019093001.tif 000025
【図２４】
2019093001.tif 000026
【図２５】
2019093001.tif 000027
【図２６】
2019093001.tif 000028
【図２７】
2019093001.tif 000029
【図２８】
2019093001.tif 000030
【図２９】
2019093001.tif 000031
【図３０】
2019093001.tif 000032